(57)【要約】識別タグ（例えば１ＥＡＳタグまたはＲＦＩＤタグ）は、ほぼ三角形状を有するループアンテナと、ループアンテナに対して接続され、かつその内部に配置された電子部品とを備え、アンテナおよび部品は、フレキシブル基板の一面に配置されているフレキシブル金属構造を備え、フレキシブル基板は、三角形ループアンテナの一辺から延出して、フラップを形成し、タグがパッケージの一面上であってその端部近くに位置する場合、フラップは、パッケージの端部の周囲及びその他方の面上を包む。【選択図】図３
2009510555.tif 000002
【特許請求の範囲】
【請求項１】
識別タグであって、
ほぼ三角形状を有する三角形ループアンテナと、
前記三角形ループアンテナに対して接続され、かつその内部に配置される電子部品と、を備え、
前記三角形ループアンテナおよび電子部品は、フレキシブル基板の一面に配置されたフレキシブル金属構造からなり、
前記フレキシブル基板は、前記三角形ループアンテナの一辺から延出して、フラップを形成し、
前記識別タグがパッケージの一面の端部の近くに配置される場合、前記フラップは、前記パッケージの前記端部の周囲および他方の面上を包む、ことを特徴とする識別タグ。
【請求項２】
前記フレキシブル基板は、前記三角形ループアンテナの領域の内側に同程度の三角形状を有する、ことを特徴とする請求項１に記載の識別タグ。
【請求項３】
前記フレキシブル基板は、透明である、ことを特徴とする請求項２に記載の識別タグ。
【請求項４】
前記フレキシブル基板は、前記識別タグが配置される面と逆の面に接着剤を備え、パッケージに固定することが可能である、ことを特徴とする請求項２または３に記載の識別タグ。
【請求項５】
前記接着剤は、透明または半透明の着脱可能なアクリル型の接着剤である、ことを特徴とする請求項４に記載の識別タグ。
【請求項６】
前記識別タグがパッケージに固定される場合に、前記フレキシブル基板は視認可能な印刷物を備えている、ことを特徴とする請求項２乃至５のいずれか１つに記載の識別タグ。
【請求項７】
ＥＡＳタグを備える、ことを特徴とする請求項１乃至６のいずれか１つに記載の識別タグ。
【請求項８】
ＲＦＩＤタグを備える、ことを特徴とする請求項１乃至７のいずれか１つに記載の識別タグ。
【請求項９】
ループアンテナと、
前記ループアンテナに対して接続され、かつその内部に配置される電子回路とを備え、
前記ループアンテナは、ほぼ三角形状を有する、ことを特徴とするＲＦＩＤタグ。
【請求項１０】
裏当て帯から取り除いて、パッケージ上に配置し、前記三角形ループアンテナの前記タグが一対ずつ互いに並んで位置するように、前記タグを帯上に交互配列で一対ずつ配置する、ことを特徴とする請求項１乃至９のいずれか１つに記載の複数のタグを備える識別タグの帯。
【発明の詳細な説明】
【技術分野】
【０００１】
本発明は、盗難防止、在庫追跡などのための物品に適用するセキュリティタグに関する。
このようなタグには、無線及び電磁ＥＡＳ（電子商品監視）タグ、無線ＩＣ（ＲＦＩＤ）タグなどが含まれる。
特に、本発明は、コンパクトディスク（ＣＤ）、デジタル多用途ディスク（ＤＶＤ）、ビデオゲームなどのケースなどの項目に使用するのに適したタグに関する。
ここで用いる「セキュリティタグ」という用語は、ＥＡＳ及びＲＦＩＤの両タグを指す。
【背景技術】
【０００２】
ＥＡＳタグは、盗難防止装置として知られている。
無線ＥＡＳタグは、本質的に、所定の周波数で共振ピークとなるＬＣタンク回路からなる。
所定の周波数付近で、無線周波数の電磁場を探索して、タグの存在によるデップ点（ｄｉｐ  ｄｕｅ）を検出することにより、検出を行う。
タグを強力な周波数変調場へと送ることでタグを解除して、コンデンサの破壊電圧を超える電圧を誘導する。
【０００３】
ＥＡＳタグの一般的な用途の一つとして、小売店における書籍、ＣＤ、ＤＶＤなどのセキュリティ及び追跡がある。
こうしたタグは、通常、書籍もしくは製品パッケージに挿入されるか、またはパッケージもしくは包装の外側に接着する薄型フレキシブル基板の上に敷設される。
タグの典型的な形は、電子部品がループ内部に配置された正方形または長方形のアンテナである。
【０００４】
ＲＦＩＤタグは以前から知られており、多数の項目追跡及び認識用途において日常的に用いられている。
ＲＦＩＤタグは通常、ループアンテナ、及び固有のコードがプログラミングされた集積回路チップを含む小型電子回路からなる。
パッシブ型ＲＦＩＤタグは、内部電源（バッテリ）を有していない。
使用時には、問合せ無線周波数（ＲＦ）信号が、チップに対して電力及びデータを供給するループアンテナにおいて電流を誘導する。
チップは順に、問合せシステムによって検出されるアンテナに対し、出力信号を供給する。
アクティブ型ＲＦＩＤタグは、小型内部電源を含み、より広い領域で伝達すること、及びチップ内でより大容量の情報を保存ならびに処理することが可能である。
【０００５】
ＣＤ、ＤＶＤ及びビデオゲームのケースに使用する場合に、このような装置の問題として、ディスク上のメタライズ層は、ＲＦ信号と干渉し、利用可能な電力及び領域を低減させてしまう。
この問題は、特に、ループアンテナがディスクの一部の上面に覆って重複配置される場合に、特定の周波数において顕著となる。
この問題は、良好な信号を得るために、できるだけ大きなループを作ろうとする要望に反する。
【０００６】
ＣＤまたはＤＶＤケースなどのパッケージにおけるその他の問題として、パッケージを開封し、ディスクを取り除くことができるため、盗難に遭いやすくなってしまう。
英国特許公報第２３１１０５３号には、パッケージの開封端の周囲を包むことにより、セキュリティタグをパッケージに固定し、かつパッケージを開封してディスクを取り除くことを防止する接着層を有するセキュリティタグが記載されている。
【発明の開示】
【発明が解決しようとする課題】
【０００７】
本発明は、信号に対するディスクの影響を減少するようにタグの形を構成することができ、かつタグは、ＣＤ、ＤＶＤまたはゲームのケースなどパッケージを有する用途に便利な形において提供することができるという認識に基づく。
【課題を解決するための手段】
【０００８】
本発明の一つの形態は、実質的に三角形状を有するループアンテナ及び、該ループアンテナに対して接続され、かつその内部に位置する電子部品からなるタグを提供するものであり、該アンテナ及び部品は、フレキシブル基板の一面に配置されたフレキシブル金属構造からなり、該フレキシブル基板は、該三角形ループアンテナの一辺から延出して、フラップを形成し、該タグがパッケージの一面上であってその端部近くに位置する場合、該フラップは、該パッケージの該端部の周囲及びその他方の面上を包む。
【０００９】
ループアンテナを実質的に三角形状で設けることにより、ＣＤまたはＤＶＤのパッケージ（通常正方形または長方形）の角領域に、タグを位置付けることができるため、ディスクのメタライズ面を覆って重複配置されるのを少なくするか、または無くし、従って良好な信号受信のため比較的大きなループを得ている際に、干渉を避けることができる。
【００１０】
フレキシブル基板は、タグが配置される面と逆の面に接着剤を備えているため、パッケージに固定することが可能である。
【００１１】
また、基板は透明であり、タグがパッケージに固定される場合に、視認可能な印刷物も備えていることが好ましい。
【００１２】
接着剤は、明瞭、半透明かつ除去可能なアクリル系接着剤であることが好ましい。
【００１３】
一つの特に好適な実施形態において、裏当て帯の上に複数のタグが設けられ、その裏当て帯から取り除いて、パッケージ上に配置することができる。
一つのフォーマットでは、タグを、三角形のループアンテナに対して順に、基板の一辺上に連続して配置することができる。
このフォーマットは、自動適用の用途において好ましい。
その他のフォーマットでは、スペースを最大限に使用するために、タグを帯上に交互配列で配置することができる。
【発明を実施するための最良の形態】
【００１４】
図１は、本発明に係るＥＡＳタグの一つの実施形態を示す。
タグ１０のアクティブ部は、三角形のループアンテナ１１及びアンテナ１１に接続され、かつループの内部に位置する電子部品１２からなる。
アクティブ部１０は、通常アルミニウムである薄型フレキシブル金属構造から形成され、フレキシブル基板１４の一面上に配置される。
このようなフレキシブル構造を基板上に形成する方法は、ＩＣタグ装置における用途で知られている。
フレキシブル基板１４は、透明なプラスチック材料である。
基板１４はアクティブ部１０の領域に対応しているが、多少大きい三角形状である。
アンテナ１１の一辺に沿った基板１４の部分は延出し、フラップ１５を形成する。
アンテナ１１の同じ辺に隣接して、印刷部１６が基板上に設けられる。
この印刷部１６は、セキュリティマーク、烙印またはその他の情報を実施することができる。
【００１５】
基板１４のタグ及び印刷部が設けられる面と逆の面は、接着材で被覆され、ＣＤまたはＤＶＤケースなどのパッケージに固定することができる。
接着剤は、透明又は半透明、かつ除去可能なアクリル系接着剤であることが好ましい。
良好な明瞭性及び耐紫外線性を有する接着剤が好ましい。
このような接着剤は、上記のような適用が知られている。
【００１６】
図１のタグは、ＣＤまたはゲームケース上に使用することを目的とする（以下、さらに詳細に検討する）。
したがって、アクティブ部１０の寸法、特にアンテナ１１の寸法は、ケースの角に配置された場合に、ディスクの上面に対してアンテナが覆って重複配置されるのを少なくするか、または無くすように選択される。
ＤＶＤ及びゲームケースは、ＣＤケースとはサイズ及び形状がしばしば異なるため、その適用についての寸法を異なるものとすることができる。
また、印刷部１６の寸法は、フラップ１５がケースの周囲を包む場合にケースの端部に沿って位置するように決定される。
【００１７】
ＩＣタグ装置の特定の実施特性は、使用する特定のシステムによる。
多数の標準システムが、現在実施されている。
ＥＡＳタグは、磁気、磁気音響、無線周波数、及びマイクロ波システムとすることができる。
ＲＦＩＤタグは、ちょうど１００ｋＨｚを超えた程度で実施される低周波数タグから、ちょうど２ＧＨｚを超えた程度で実施されるマイクロ波タグまで、様々な周波数にわたって実施される。
高周波数（１３．５６ＭＨｚ）システムは、本発明の用途において特に好ましい。
【００１８】
図２は、用途において特に便利と考えられるタグの帯の一つの実施形態を示す。
多数のタグＡ１−３、Ｂ１−３は、解放可能に帯Ｃ上に配置される。
アンテナ１１及び基板の基礎部の三角形状により、交互タグＡ、Ｂは、アンテナが互いに並んで位置するように１８０度回転する。
これにより、帯Ｃは最大限に使用され、全長は縮小される。
帯Ｃは、通常の方法で被覆されているため、接着層を損なわずにタグＡ、Ｂを開放しやすくなる。
【００１９】
図３は、従来のＣＤケース２０における、図１に示される種類のタグ１８の用途の斜視図を示す。
ケース２０は、蓋２４がヒンジ２６によって接続される基部２２を有する。
【００２０】
図３に示す実施形態では、ＣＤケース２０は、タグ１８によってその閉位置に固定される。
アクティブ部１０が蓋２４上となり、フラップ１５が端部２５の周囲及び基部２２の上を包むように、タグ１８がケースに固定され、蓋２４を開ける前にタグ１８を取り除けるように基板１４上の接着剤がタグ１８を蓋２４及び基部２２の両方に固定する。
アクティブ部１０は、蓋２４の角に位置するため、ケース内のディスクの上面を覆って重複配置せず、したがってメタライズ層の干渉効果を避ける。
印刷部１６は、端部２５に沿って位置する。
【００２１】
三角形状は、比較的製造するのが容易であり、ディスクの上面を覆って重複配置されないという目的を達成する。
ただし、上記形状は、完全な三角形である必要はない。
したがって、ディスクに最も近い辺を湾曲し、アンテナのスペース容量を最大化することができる。
【００２２】
以上説明したもののようなタグの使用システムは、送信機及び中央演算処理システムを含み、かつ店舗など使用する場所に設置される。
【００２３】
本発明の範囲内で変更を行うことができる。
たとえば、上記記載したように、アクティブ部１０の寸法を、固定するパッケージによって選択することができる。
【図面の簡単な説明】
【００２４】
【図１】本発明の一つの実施形態に係るセキュリティタグを示す図である。
【図２】図１に示す種類のセキュリティタグの帯を示す図である。
【図３】ＣＤケースに使用される場合の、図１に示される種類のセキュリティタグを示す。
【図１】
2009510555.tif 000003
【図２】
2009510555.tif 000004
【図３】
2009510555.tif 000005
【国際調査報告】
2009510555.tif 000006
2009510555.tif 000007